(57)【要約】【課題】高圧洗浄機を用いた洗浄中において、洗浄液、水などの液体が洗浄の対象物で跳ね返って使用者にかかってしまうことを防止することができるランスおよび高圧洗浄機を提供する。【解決手段】高圧洗浄機に取り付けられ、内部に噴射ノズルが挿通する筒部と、筒部よりも大きい径を有し、噴射ノズルから噴射されて、高圧洗浄機による洗浄の対象物の表面で跳ね返った液体を受け止めるカバー部とを備えるランスである。【選択図】図９
2016107172.tif 000002
【特許請求の範囲】
【請求項１】
高圧洗浄機に取り付けられ、
内部に噴射ノズルが挿通する筒部と、
前記筒部よりも大きい径を有し、前記噴射ノズルから噴射されて、前記高圧洗浄機による洗浄の対象物の表面で跳ね返った液体を受け止めるカバー部と
を備えるランス。
【請求項２】
前記カバー部は、前記噴射ノズルの噴射方向に向けて開口するように構成されている
請求項１に記載のランス。
【請求項３】
前記カバー部の先端縁は、前記噴射ノズルの先端よりも前方に突出している
請求項１または２に記載のランス。
【請求項４】
前記カバー部の先端縁に弾性体が設けられている
請求項１乃至３のいずれかに記載のランス。
【請求項５】
前記カバー部の開口内径は略７４ｍｍである
請求項２に記載のランス。
【請求項６】
前記噴射ノズルからの液体の噴射の態様を変化させる噴射調整機構を更に備える
請求項１乃至５のいずれかに記載のランス。
【請求項７】
前記噴射調整機構は、前記噴射ノズルの噴射口の前方に設けられ、一対の板体により構成された開閉部と、
前記一対の板体のそれぞれに設けられた突起部と、
前記筒部の内部方向に向かって隆起するように前記筒部の内壁に設けられ、前記突起部と接触する押圧部とから構成され、
前記押圧部は一端側から他端側にかけて隆起幅が徐々に大きくなるように構成されており、前記筒部が回転して前記押圧部と前記突起部の接触位置がずれていくことにより前記押圧部が前記突起部を押圧して前記開閉部の開閉具合が変化する
請求項６に記載のランス。
【請求項８】
内部に噴射ノズルが挿通する筒部と、
前記筒部よりも大きい径を有し、前記噴射ノズルから噴射されて、前記高圧洗浄機による洗浄の対象物の表面で跳ね返った液体を受け止めるカバー部と
を有するランスを備える高圧洗浄機。
【発明の詳細な説明】
【技術分野】
【０００１】
本発明は、高圧洗浄機において用いるランスおよび高圧洗浄機に関する。
【背景技術】
【０００２】
家屋の外回りや自動車などの対象物に対して水などの洗浄液を噴射して洗浄するための高圧洗浄機が知られている（例えば、下記特許文献１を参照のこと）。一般に高圧洗浄機は商用電源やバッテリなどからの給電により駆動するポンプを備えており、ポンプにより加圧された洗浄液がガン（ノズルガン）を介して噴射されるように構成されている。ガンから噴射する洗浄液を対象物に向かって噴射することにより、対象物に付着した汚れを除去することができる。
【先行技術文献】
【特許文献】
【０００３】
【特許文献１】特開２０１１−２３５２５５号公報
【発明の概要】
【発明が解決しようとする課題】
【０００４】
このような高圧洗浄機においては、洗浄の対象物に洗浄液を噴射した際に洗浄液が対象物の表面で跳ね返って使用者にかかってしまう場合があるという問題がある。
【０００５】
本発明はこのような問題点に鑑みなされたものであり、液体が洗浄の対象物で跳ね返って使用者にかかってしまうことを防止するランスおよび高圧洗浄機を提供することを目的とする。
【課題を解決するための手段】
【０００６】
上述した課題を解決するために、本発明は、高圧洗浄機に取り付けられ、内部に噴射ノズルが挿通する筒部と、筒部よりも大きい径を有し、噴射ノズルから噴射されて、高圧洗浄機による洗浄の対象物の表面で跳ね返った液体を受け止めるカバー部とを備えるランスである。
【０００７】
また、本発明は、内部に噴射ノズルが挿通する筒部と、筒部よりも大きい径を有し、噴射ノズルから噴射されて、高圧洗浄機による洗浄の対象物の表面で跳ね返った液体を受け止めるカバー部とを有するランスを備える高圧洗浄機である。
【発明の効果】
【０００８】
本発明によれば、高圧洗浄機を用いた洗浄中において、洗浄液、水などの液体が洗浄の対象物で跳ね返って使用者にかかってしまうことを防止することができる。なお、ここに記載された効果は必ずしも限定されるものではなく、明細書中に記載されたいずれかの効果であってもよい。
【図面の簡単な説明】
【０００９】
【図１】図１は、高圧洗浄機の構成例を説明するための図である。
【図２】図２は、ガンの構成例を説明するための図である。
【図３】図３Ａおよび図３Ｂは、本体部の構成例を説明するための図である。
【図４】図４は、タンクの構成例を説明するための図である。
【図５】図５は、タンクの底面の構成例を説明するための図である。
【図６】図６は、タンクの詳細な構成例等を説明するための図である。
【図７】図７は、ホース固定部材の構成例を説明するための図である。
【図８】図８は、ホース固定部材の使用状態の一例を説明するための図である。
【図９】図９は、本発明に係るランスの構成例を示す斜視図である。
【図１０】図１０は、ランスの側面図である。
【図１１】図１１は、ランスがガンに接続されている状態を示す斜視図である。
【図１２】図１２Ａは、開閉部が開いている状態におけるランスの側面視内部構成図であり、図１２Ｂはランスの正面図である。
【図１３】図１３Ａは、開閉部が閉じている状態におけるランスの側面視内部構成図であり、図１３Ｂはランスの正面図である。
【図１４】図１４は、噴射された洗浄液が洗浄対象物で跳ね返る様子を示した図である。
【図１５】図１５は、第１ランス部と第２ランス部との接続を示す断面図である。
【図１６】図１６は、高圧洗浄機の使用状態の一例を説明するための図である。
【図１７】図１７は、高圧洗浄機の使用状態の他の例を説明するための図である。
【図１８】図１８は、比較結果に用いたラインの第１のタイプの寸法を示す図である。
【図１９】図１９は、比較結果に用いたラインの第２のタイプの寸法を示す図である。
【発明を実施するための形態】
【００１０】
以下、本発明の実施の形態について図面を参照しながら説明する。ただし、本発明は以下の実施例のみに限定されるものではない。なお、説明は以下の順序で行う。
＜１．実施の形態＞
［１−１．高圧洗浄機の構成］
［１−２．高圧洗浄機用ランスの構成］
［１−３．使用状態の一例］
＜２．変形例＞
【００１１】
＜１．実施の形態＞
図を参照して高圧洗浄機およびランスの実施の形態について説明する。上述したように、高圧洗浄機は、高圧移送された洗浄液を対象物に噴射することにより対象物を洗浄する装置である。一実施形態では高圧洗浄機から噴射される洗浄液を水道水として説明する。但し、高圧洗浄機から噴射される洗浄液は水道水に限定されるものではなく、洗剤や研磨剤などを含む液体でもよい。
【００１２】
［１−１．高圧洗浄機の構成］
図１は、高圧洗浄機の全体構成の一例を説明するための図である。高圧洗浄機１の構成を概略的に説明すれば、高圧洗浄機１は、例えば、開口部を有するタンク１０と、タンク１０の開口部を開閉する蓋体部１１と、付属部品とを備えている。高圧洗浄機１は、付属部品として例えば、本体部２０と、高圧ホース（耐圧ホースなどと称される場合もある）３０と、ホース巻き取り部材４０と、ガン５０と、保持部材６０と、ガンコネクタ７０、ランス２００とを備えている。
【００１３】
始めに、高圧ホース３０およびランス２００について概略的に説明する。高圧ホース３０の両端には継ぎ手が設けられており、継ぎ手の先端には手回しナットが設けられている。高圧ホース３０の一端を本体部２０の所定箇所に差し込み手回しナットを回すことにより、高圧ホース３０の一端を本体部２０に取り付けることができる。一方、高圧ホース３０の他端をガン５０の所定箇所に差し込み手回しナットを回すことにより、高圧ホース３０の他端をガン５０に取り付けることができる。
【００１４】
高圧洗浄機１を使用する際は、ガンコネクタ７０の一端をガン５０の先端ノズルに取り付け、ガンコネクタ７０の他端に用途に応じたランスを取り付ける。ランスは、噴射ノズルから噴射される洗浄液の拡散度合いおよび噴出圧力を変更することができる。本実施の形態に係るランス２００の詳細な構成ついては後述する。なお、ランスの種類、本数等は適宜、変更することができる。
【００１５】
「ガンの構成例」
高圧洗浄機１におけるその他の構成について詳細に説明する。図２は、ガン５０の構成例を説明するための図である。ガン５０は、把持部５１と、高圧ホース接続口５２と、先端ノズル５３とを備えている。把持部５１は、高圧洗浄機１の使用時にユーザが把持する箇所である。なお図示は省略しているが、把持部５１の内側には運転レバーが設けられており運転レバーを握ることにより洗浄液を噴射することができる。運転レバーを所定位置に固定するための安全機構（安全フック）がガン５０に設けられていてもよい。
【００１６】
高圧ホース接続口５２には、上述した高圧ホース３０の一端が接続される。高圧ホース３０を介して洗浄液がガン５０に送水される。先端ノズル５３には、上述したガンコネクタ７０の一端が接続される。高圧洗浄機１の使用時にユーザは、例えば一方の手で把持部５１を握りつつ他方の手でガンコネクタ７０を握り、ランス２００の先端を対象物に向けて洗浄液を噴射する。
【００１７】
「本体部の構成例」
図３Ａおよび図３Ｂは、本体部２０の構成例を説明するための図である。本体部２０は、全体として略直方体形の外観を呈している。本体部２０の底面の四隅付近には、脚部（脚部２１ａ，２１ｂ，２１ｃおよび２１ｄ）が設けられている。本体部２０の上面の周縁には、周壁２２が形成されている。また、本体部２０の上面には回動可能なハンドル部２３が設けられている。ハンドル部２３の端部は、対向する長手方向の周壁の内側中央付近に取り付けられており、取り付け箇所を結ぶ線を軸にして略１８０度回動可能とされている。ハンドル部２３を使用して本体部２０を単体で運搬することができる。
【００１８】
本体部２０の上面には、さらに取水口２４が設けられている。取水口２４を介してタンク１０に貯水されている水が本体部２０に供給される。本体部２０の側面には、電源スイッチ２５および高圧ホース接続口２６が設けられている。電源スイッチ２５は、例えば、回転式のスイッチであり、電源スイッチ２５を所定角度、回転させることにより、本体部２０のオン／オフを切り替えることができる。高圧ホース接続口２６には、高圧ホース３０の一端が取り付けられる。
【００１９】
本体部２０の別の側面であり、かつ、対向する側面には、タンク固定バックル２７ａ，２７ｂが設けられている。タンク固定バックル２７ａは、短手方向の周壁の一部に設けられた棒状の部材を軸に回動自在とされる。タンク固定バックル２７ａおよび２７ｂは、タンク１０に設けられているバックルフックに着脱自在とされる。
【００２０】
なお、図示は省略しているが、本体部２０の内部には、ポンプ、ポンプを駆動する電動機、送水機構等が収納されている。すなわち、取水口２４を介して取り込まれた水がポンプ、送水機構により加圧送水されて高圧ホース接続口２６に供給される。これらの機構は公知の構成を適用できるため、詳細は説明を省略する。また、本体部２０には、電動機等に対して電力を供給するための電源コード（電源プラグを含む）が接続される。本体部２０の電源は商用電源に限定されるものではなくバッテリでもよい。高圧洗浄機１は一般に晴天の屋外で使用されることを考慮して、太陽光により発電する機構を高圧洗浄機１に設けてもよい。
【００２１】
「タンク等の構成例」
図４、図５を参照して、タンク１０および蓋体部１１の構成例について概略的に説明する。タンク１０は、全体として略直方体形状の外観を呈しており、例えば、樹脂により構成されている。タンク１０は、４つの側面（側面１０１，側面１０２，側面１０１と対向する側面１０３，および、側面１０２と対向する側面１０４）と底面１０５とを有している。タンク１０の上面は開放されており、上面を介してタンク１０内に注水することができる。タンク１０は、例えば付属部品を全て収納できる大きさ（容量）を有している。高圧洗浄機１を収納する際は、タンク１０内に付属部品を全て収納し、蓋体部１１によりタンク１０の上面を閉めることで全体としてコンパクトな形状とすることができ、収納性を向上させることができる。また、タンク１０の容量を大きくすることができ、タンク１０の貯水量を増加させることができる。これにより、高圧洗浄機１の連続使用時間を増加させることができる。
【００２２】
タンク１０は、略コ字形状を成し樹脂等から構成されるハンドル部１２０を備えている。ハンドル部１２０は、両端部が側面１０２および側面１０４にそれぞれ固定されており、固定された箇所を結ぶ直線を軸に回動自在とされている。側面１０２の底面側にはバックルフック１２１ａが設けられている。同様に、側面１０４の底面側にもバックルフック１２１ｂが設けられている。バックルフック１２１ａはタンク固定バックル２７ａと係合し、バックルフック１２１ｂはタンク固定バックル２７ｂと係合する。これにより、本体部２０の上面に載置したタンク１０を確実に取り付けることができる。
【００２３】
側面１０１には排水部１２５が形成されている。排水部１２５は、例えば、側面１０１の中央付近から上面にかけてタンク１０の外側に向けてやや傾斜する形状を成している。排水部１２５に向けて水が流れるようにタンク１０を傾けることにより、タンク１０内の水を容易に排水することができる。また、側面１０３の上面側にバックルフック１２６が形成されている。バックルフック１２６は、蓋体部１１に設けられた蓋固定バックルと係合する。
【００２４】
タンク１０の底面の四隅付近に脚部１３０ａ、１３０ｂ，１３０ｃおよび１３０ｄが設けられている。また、タンク１０の底面には、給水フィルター１３１が設けられている。高圧洗浄機１の使用時には、給水フィルター１３１を本体部２０の取水口２４の位置に合うようにしてタンク１０を本体部２０の上面に載置する。このときタンク１０の４つの脚部は、本体部２０の上面の周壁２２の内部に位置する。
【００２５】
図４に示すように蓋体部１１によりタンク１０の上面が覆われ、タンク１０の内部が密閉される。蓋体部１１の側面には、蓋固定バックル１１１が設けられている。蓋固定バックル１１１はタンク１０のバックルフック１２６に係合される。一方、蓋固定バックル１１１と対向する位置には引っ掛け部１１２が突設されている。引っ掛け部１１２は、排水部１２５の上縁淵（鍔部）に対応した形状を成している。タンク１０の上面を閉じる際に、蓋体部１１の引っ掛け部１１２を排水部１２５の上縁淵に引っ掛け、蓋固定バックル１１１をバックルフック１２６に係合させることによりタンク１０を確実に密閉できる。一実施形態では、蓋体部１１の片側のみに蓋固定バックルを設けており、蓋体部１１の両側に蓋固定バックルを設ける構造より簡略化した構成としている。これにより、操作の容易性を向上させることができるとともに、製造コストの低減等を図ることができる。
【００２６】
蓋体部１１によりタンク１０を確実に密閉できることで以下の利点が得られる。例えば、タンク１０内への異物（ほこり、雨水等）の混入を防止することができ、タンク１０に収納された付属部品を保護できる。また、蓋体部１１を取り付けることにより、貯水されたタンク１０を運搬する際に水跳ねや水漏れなどが発生することを防止できる。さらに、蓋体部１１の上部を簡易的な物置として使用することもできる。
【００２７】
図６を参照して、タンク１０等の構成例についてさらに詳細に説明する。なお、図６では、タンク１０が本体部２０の上面に載置された状態が示されている。また、既に説明した構成に関しては重複した説明を適宜、省略する。
【００２８】
ハンドル部１２０は、中央付近が外側に向けてやや屈曲する取手部１４０と、取手部１４０の両端から取手部１４０に略直交する方向に延伸する一対の連結部１４１，１４２とを有し、全体として略コ字状の外観を呈している。連結部１４１および連結部１４２の先端には略円形の孔部１４５，１４６がそれぞれ形成されている。ハンドル部１２０は、連結部１４１および連結部１４２を介してタンク１０に取り付けられる。
【００２９】
タンク１０の側面１０２の上面寄りに、略円筒形状の凸部１５０が突設されている。また、側面１０４において、凸部１５０が形成される箇所と略対向する位置にも略円筒形状の凸部１５１が突設されている。凸部１５０および凸部１５１にはネジ穴が設けられている。連結部１４１の先端に位置する孔部１４５を凸部１５０通し、略円形状を成すハンドル押さえ部１６０を外側から押し当てる。ハンドル押さえ部１６０の中央付近には孔部が形成されており、この孔部から凸部１５０のネジ穴に向けてネジ１６１を螺入する。ハンドル押さえ部１６０により外側から押し当てられるようにして、ハンドル部１２０の一端部がタンク１０に取り付けられる。ネジ１６１を螺入した後にネジ１６１にカバー部材１６２を取り付ける。
【００３０】
同様に、連結部１４２の先端に位置する孔部１４６を凸部１５１に通し、略円形状を成すハンドル押さえ部１６４を外側から押し当てる。ハンドル押さえ部１６４の中央付近には孔部が形成されており、この孔部から凸部１５１のネジ穴に向けてネジ１６５を螺入する。ハンドル押さえ部１６４により外側から押し当てられるようにして、ハンドル部１２０の他端部がタンク１０に取り付けられる。ネジ１６５を螺入した後にネジ１６５にカバー部材１６６を取り付ける。
【００３１】
このように、ハンドル部１２０が外れることを防止する外れ防止部材（例えば、ハンドル押さえ部１６０およびハンドル押さえ部１６４）により、ハンドル部１２０の両端をタンク１０に圧着させることができ、ハンドル部１２０をタンク１０に確実に取り付けることができる。上述したように、一実施形態におけるタンク１０は、従来に比べて貯水量を増加させることができる。このため、貯水されたタンク１０を運搬する際にハンドル部１２０がタンク１０から外れてしまうおそれがある。しかしながら、一実施形態における高圧洗浄機１はハンドル部１２０をタンク１０に確実に取り付けることができるため、タンク１０の運搬時等にハンドル部１２０が外れてしまうことを防止できる。
【００３２】
ハンドル押さえ部１６０の周面の一部（上方側）には切欠１７０が形成されている。切欠１７０に対して例えば保持部材６０を掛着することができる。同様に、ハンドル押さえ部１６４の周面に切欠１７１が形成されている。切欠１７１に対して例えばホース巻き取り部材４０を掛着することができる。高圧洗浄機１を使用する際は、本体部２０の上面にタンク１０を載置することで全体として一定の高さが形成される。このため、ユーザはタンク１０の側面に対して保持部材６０等を楽な姿勢で掛着し使用することができる。
【００３３】
ハンドル部１２０には、ホース固定部材１８０が取り付けられている。図７は、ホース固定部材１８０の形状の一例を説明するための図である。ホース固定部材１８０は、例えば樹脂により構成されている。ホース固定部材１８０は、一端が丸みを帯びた略板状の形状を成し、この一端近傍に孔部１８１が形成されている。一方、ホース固定部材１８０の他端には略Ｃ字状の形状を成すホース固定部１８２が形成されている。ホース固定部１８２は、孔部１８３および孔部１８３と連通する開口端１８４を有している。
【００３４】
図８は、ホース固定部材１８０の使用状態の一例を説明するための図である。ホース固定部材１８０は、例えば連結部１４１の内側中央付近に取り付けられる。より具体的には、連結部１４１の内側中央付近には円柱状の凸部１８８が連結部１４１と一体的に形成されており、凸部１８８に対して孔部１８１を圧入することによりホース固定部材１８０が連結部１４１に取り付けられる。もちろん、ホース固定部材１８０の取付位置や取付方法は上述した例に限定されるものではない。ホース固定部材１８０は凸部１８８を中心にして円弧状に回動自在とされている。ホース固定部材１８０をやや回動させた状態で、ホース固定部材１８０に注水用のホースＨＯの適宜な箇所が取り付けられる。ホースＨＯは、開口端１８４を介して孔部１８３に挿入されることによりホース固定部材１８０に取り付けられる。これにより、ホースＨＯを使用してタンク１０に注水する際にホースＨＯが暴れることを防止できる。なお、ホース固定部材１８０はハンドル部１２０の内側に位置するため、ユーザが認識しづらいおそれがある。このため、例えばハンドル部１２０およびホース固定部材１８０の色を異なるようにして、ハンドル部１２０およびホース固定部材１８０を視覚的に区別できるように構成してもよい。
【００３５】
なお、タンク式の高圧洗浄機には様々な仕様のものがあるが、例えば、下記の表１に示されるような仕様のものがある。本発明に係るランスはいずれの仕様の高圧洗浄機にも装着して使用することが可能である。
【００３６】
［表１］
2016107172.tif 000003
【００３７】
［１−２．ランスの構成］
次に、図９乃至図１９を参照して本実施の形態に係るランス２００の構成について説明する。ランス２００はガンコネクタ７０に接続されて使用されるものである。図１２、図１３に示されるように、ランス２００の内部には噴射ノズル２３０が挿通されている。ランス２００は、図９に示されるように第１ランス部２１０と、第２ランス部２２０とから構成されている。第１ランス部２１０は、筒状に構成されており内部に噴射ノズル２３０が挿通されており、ガンコネクタ７０に接続されている。第２ランス部２２０の内部には、第１ランス部２１０の先端部が挿入された状態で接続されている。ランス２００は、ガラス入りナイロン、エラストマーなどの材料により構成されている。
【００３８】
第２ランス部２２０は、内部に噴射ノズル２３０が挿通する筒部２２１と、筒部２２１の第１ランス部２１０との接続側とは逆側（噴射ノズル２３０の噴射方向）に向けて漏斗状に広がるカバー部２２２とから構成されている。図１２Ｂに示されるように、正面視において、カバー部２２２内の略中央に噴射ノズル２３０の先端である噴射口２３１が位置するように構成されている。カバー部２２２内には、噴射口２３１を保護するように、噴射口２３１の周りを囲いつつ、噴射ノズル２３０の噴射方向に向けて開口する噴射口保護部２２４が設けられている。
【００３９】
第１ランス部２１０と第２ランス部２２０は別部材として構成されており、第２ランス部２２０は、図９に示されるようにＰＱ方向に回転可能に設けられている。なお、筒部２２１の外面には、ユーザが第２ランス部２２０を把持して回転させる際につかみやすいように、複数の窪みからなる凹部２２６が形成されている。
【００４０】
第２ランス部２２０の筒部２２１内には噴射される洗浄液の拡散度合いおよび噴射圧力を変更するための噴射調整機構が設けられている。噴射調整機構は、噴射ノズル２３０の前方に位置するように設けられている開閉部と、開閉部に設けられた突起部と、突起部を押圧する押圧部とから構成されている。
【００４１】
開閉部は、一対の板体である第１平板部２４１、第２平板部２４２により構成されており、噴射ノズル２３０の軸線を挟むようにして、軸線が第１平板部２４１、第２平板部２４２の略中間および幅方向の略中央に位置するように設けられている。
【００４２】
図１２は開閉部が開いている状態を示す図である。また、図１３は、開閉部が閉じている状態を示す図である。開閉部は、例えば、バネなどの弾性体（図示せず）、開閉部自体の弾性などにより常時、開く方向に付勢されている。なお、開閉部が閉じている状態は一対の平板部間に全く隙間がない状態ではなく、わずかに隙間があり、その隙間から洗浄液が噴射可能となっている状態である。
【００４３】
突起部は、一対の第１突起部２５１、第２突起部２５２からなる。開閉部を構成する一対の第１平板部２４１、第２平板部２４２に、第２ランス部２２０の外側方向へ突出するように第１突起部２５１、第２突起部２５２がそれぞれ設けられている。
【００４４】
第２ランス部２２０の内周面には、第２ランス部２２０の内部方向に隆起する押圧部を構成する第１押圧部２６１、第２押圧部２６２が設けられている。第１押圧部２６１、第２押圧部２６２は、所定の長さを有し、一端側から他端側にかけて次第に隆起幅が徐々に大きくなるように構成されている。
【００４５】
上述したように、第２ランス部２２０は、噴射ノズル２３０に対してＰＱ方向に回転可能に設けられている。ユーザが第２ランス部２２０を第２ランス部２２０の軸方向に沿って回転させると、第１押圧部２６１が第１突起部２５１の先端に接触した状態でスライドしていく。第１押圧部２６１は、一端側から他端側にかけて次第に隆起幅が大きくなっていくように構成されているため、第１押圧部２６１が第１突起部２５１に対してスライドしていくと、徐々に第１突起部２５１を第２ランス部２２０の内部方向に押圧していくことになる。
【００４６】
第１突起部２５１は、第１平板部２４１に設けられているため、第１突起部２５１が第２ランス部２２０の内部方向に押圧されると、第１平板部２４１も同方向に押圧されることになる。第２押圧部２６２、第２突起部２５２および第２平板部２４２の動作もこの第１押圧部２６１、第１突起部２５１および第１平板部２４１と同様になされる。
【００４７】
そうすると、図１２に示される開閉部である第１平板部２４１と第２平板部２４２が開いた状態から、第１平板部２４１と第２平板部２４２の空間が徐々に閉じていくことになる。本実施の形態においては、第２ランス部２２０を回転させて、第１押圧部２６１の最も高い位置に第１突起部２５１が位置し、同様に第２押圧部２６２の最も高い位置に第２突起部２５２が位置すると、図１３に示される開閉部が閉じた状態になる。
【００４８】
第１平板部２４１と第２平板部２４２の間の空間が十分に広がっている状態においては、洗浄液は、噴射ノズル２３０から噴射されたままの状態で、直噴水流として洗浄対象物に吹きつけられる。一方、第１平板部２４１と第２平板部２４２間の空間が閉じていくと、洗浄液は、噴射ノズル２３０から噴射された後、開閉部に挟まれることにより扇状に広がる拡散水流として放出されることになる。
【００４９】
開閉部を構成する第１平板部２４１と第２平板部２４２間の距離が短くなっていくに従い、洗浄液は扇状に広がって噴射されて、噴射範囲が広がっていく。
【００５０】
開閉部が閉じている状態で第２ランス部２２０を開閉部を開く方向とは逆方向に回転させると、第１突起部２５１は徐々に第１押圧部２６１の隆起幅が低い方へスライドしていく。そうすると、第１平板部２４１は素材自体の弾性によって第２ランス部２２０の外側方向へ開いていく。第２平板部２４２も同様にして開いていく。このようにして、開閉部を開くことができる。
【００５１】
なお、噴射口保護部２２４には２つの切り欠き部２２５が設けられている。この切り欠き部２２５は、開閉部が閉じた状態で洗浄液が扇状に噴射される場合に、洗浄液が噴射口保護部２２４に衝突して噴射が妨げられてしまうことを防止するためのものである。よって、切り欠き部２２５は、閉じた状態における開閉部の開閉方向に対する略垂直方向の延長上に位置するように設けられている。
【００５２】
このように、本実施の形態においては、洗浄器用ランス２００を回転させることによって、高圧の水流が直線状に噴射する高圧直噴洗浄と高圧の水流が扇状に広がって噴射する高圧拡散洗浄の切り替えを行うことができる。
【００５３】
第２ランス部２２０は、漏斗状に広がった状態で開口するカバー部２２２を備えている。カバー部２２２の先端縁は、噴射ノズル２３０を囲うように正面視略円形状に構成されている。カバー部２２２の先端縁は、噴射ノズル２３０の先端よりも前方に位置するように構成されている。カバー部２２２は、噴射ノズル２３０から噴射された洗浄液が洗浄対象物の表面で跳ね返ってユーザにかかってしまうことを防止するためのものである。
【００５４】
例えば、図１４中の矢印Ｘに示されるように、洗浄液が洗浄対象物Ｓの表面にぶつかり跳ね返ったとしても、その跳ね返った洗浄液を第２ランス部２２０がカバー部２２２で受け止めることができる。これにより、跳ね返った洗浄液がユーザにかかってしまうことを防止することができる。
【００５５】
また、カバー部２２２は漏斗状に広がって前端縁が開口しているため、図１４中の矢印Ｙに示されるように、洗浄液が洗浄対象物Ｓの表面にぶつかり斜め方向に跳ね返ったとしても、その跳ね返った洗浄液を受け止めることができる。これにより、洗浄液が斜め方向に跳ね返ったとしても洗浄液がユーザにかかってしまうことを防止することができる。
【００５６】
従って、洗浄対象物が建物の外壁のような平坦面である場合に限られず、例えば、レンガ壁、コンクリートの路面、マンホール、墓石、階段などの湾曲面や凹凸を有するものの洗浄にも適用することができる。そのような場合にも、洗浄対象物の表面で跳ね返った洗浄液や、洗浄対象物の表面から除去された汚れ、付着物などをカバー部２２２で確実に受け止めてユーザにかかってしまうことを防止することができる。
【００５７】
カバー部２２２の先端縁は、噴射ノズル２３０の先端よりも前方に位置するように構成されている。これにより、カバー部２２２の開口の寸法を必要以上に大きくする必要がなくなる。洗浄液の跳ね返りをカバー部２２２で確実に受け止めるためには、カバー部２２２の前方への突出幅が小さければ小さいほど、カバー部２２２の開口寸法を大きくする必要があるからである。カバー部２２２の前方への突出幅が小さければ小さいほど、斜めに跳ね返った洗浄液がカバー部２２２に届くときには洗浄液の拡散範囲は広がっているからである。
【００５８】
カバー部２２２の先端縁には例えば、ゴムなどの弾性体により構成されたヘッドカバー２２３が設けられている。このヘッドカバー２２３を設けることにより、洗浄の際にランス２００を洗浄対象物に当ててしまい洗浄対象物が傷つくことを防止することができる。これは、例えば、車両など、一般的にユーザが傷がつかないようにしているものを洗浄する場合に有効である。
【００５９】
図１５を参照して、第１ランス部２１０と第２ランス部２２０の接続について説明する。図１５Ａは、第１ランス部２１０と第２ランス部２２０の簡略断面図であり、図１５Ｂは図１５Ａ中の円で囲った箇所の部分拡大図である。第２ランス部２２０内は筒状に構成されており、一端側がカバー部２２２側として開口しており、他端側が第１ランス部２１０側として開口している。その他端側の開口から第２ランス部２２０内に第１ランス部２１０の先端部が挿入されることにより第１ランス部２１０と第２ランス部２２０が取り付けられている。
【００６０】
カバー部２２２側である一端側においては、第１突起部２５１に第１押圧部２６１が接触し、第２突起部２５２に第２押圧部２６２が接触するように第２ランス部２２０内に第１ランス部２１０が挿入されている。これにより、上述したように第２ランス部２２０の回転により開閉部を構成する第１平板部２４１と第２平板部２４２の開閉が可能となる。
【００６１】
また、図１５Ｂの部分拡大図に示されるように、他端側においては、第１ランス部２１０の突起部２７１が第２ランス部２２０の側面に設けられた孔部２７２に引っ掛かるように構成されている。このようにして、第１ランス部２１０と第２ランス部２２０との装着状態が維持され、不用意にはずれない構成となっている。なお、この突起部２７１と孔部２７２の構成は図１５Ａに示されるように第２ランス部２２０の他方側の側面にも設けられている。
【００６２】
突起部２７１が孔部２７２に嵌る位置において、第１突起部２５１に第１押圧部２６１が接触し、第２突起部２５２に第２押圧部２６２が接触するように寸法を設定するとよい。そうすることにより、ランス２００の製造過程、またはユーザによるランス２００の組み立てにおいて第１ランス部２１０に第２ランス部２２０を取付ける際は、突起部２７１が孔部２７２に嵌るまで第２ランス部２２０内に第１ランス部２１０の先端部を挿入すればよい。
【００６３】
以上のようにして、高圧洗浄機１およびランス２００が構成されている。
【００６４】
［１−３．使用状態の一例］
図１６および図１７は、高圧洗浄機１の使用状態の一例を説明するための図である。蓋体部１１がタンク１０から取り外され、タンク１０内から付属部品が取り出される。取り出された付属部品が組立、接続される。具体的には、全ての付属部品が取り出されたタンク１０を本体部２０の上面に載置する。このとき、タンク１０の給水フィルター１３１の位置と本体部２０の取水口２４の位置とが合うようにタンク１０を本体部２０の上面に載置する。
【００６５】
注水用のホースＨＯの一端が水道の蛇口３００に取り付けられ、他端がタンク１０内に配される。水道の蛇口３００が開栓され、タンク１０内への注水がなされる。このときホースＨＯがホース固定部材１８０に取り付けられることにより注水時にホースＨＯが暴れることを防止できる。タンク１０内に注水された水道水が本体部２０に供給される。
【００６６】
ガン５０に対してガンコネクタ７０が取り付けられ、ガンコネクタ７０にランスを取り付けられる。このとき、保持部材６０をタンク１０の側面に取り付け、使用しない他の種類のランスを保持部材６０に保持させておくことができる。そして、高圧ホース３０をホース巻き取り部材４０から外す。ホース巻き取り部材４０は、タンク１０の側面に取り付けておくことができる。高圧ホース３０の一端をガン５０の高圧ホース接続口５２に接続し、高圧ホース３０の他端を本体部２０の高圧ホース接続口２６に接続する。組立が完了した後、ユーザは、本体部２０の電源スイッチ２５をオンし、本体部２０内のポンプ等を駆動する。そして、ユーザは、拡散可変ランス７１ｂの噴出口を対象物に向けガン５０の運転レバーを適宜、操作して洗浄液を噴射し対象物を洗浄する。このように、高圧洗浄機１に注水しつつ、付属部品が散乱しない状態で高圧洗浄機１を使用することができる。なお、高圧洗浄機１の組立・接続の順序は適宜、変更することができる。
【００６７】
なお、図１７に示すように、高圧洗浄機１は、水道がない場所で使用することも可能である。例えば、タンク１０への注水が完了した後に、タンク１０、本体部２０等を適宜な場所に運搬して高圧洗浄機１を使用することができる。
【００６８】
下記の表２は、本発明に係るランスを備える高圧洗浄機（以下、本発明型と称する。）と一般的なランスである従来型の拡散可変ランスを備える高圧洗浄機における洗浄液の跳ね返りの比較実験の結果を示す表である。
【００６９】
［表２］
2016107172.tif 000004
【００７０】
比較実験に用いたランスの寸法は図１８、図１９に示す通りである。第１タイプは図１８に示されるものであり、カバー部２２２の先端縁を噴射口保護部２２４の先端縁よりも前方に略３０ｍｍ突出させた形状を有するものである。また、第２タイプは、図１９に示されるものであり、カバー部２２２の先端縁と噴射口保護部２２４の先端縁を略面一にした形状を有するものである。
【００７１】
本発明に係るランスは寸法が異なる第１タイプと第２タイプとで比較実験を行った。比較実験は、凹凸があるコンクリート地面（シーン１）、壁面の目地（シーン２）、階段の隅（シーン３）という３つの場面で行った。また、洗浄対象物とランス先端間の距離を０〜５０ｍｍ、５０〜１００ｍｍ、１００〜２００ｍｍ、２００〜３００ｍｍと段階的に変化させて、ユーザの顔に洗浄液の跳ね返りがあるかを評価した。評価は、ユーザの顔への洗浄液の跳ね返りのみを体感で比較したものであり、顔以外への跳ね返りは考慮しないものとした。
【００７２】
なお、比較結果では跳ね返りの有無を４段階で示している。××は、常に顔への洗浄液の跳ね返りがあることを示している。×は、洗浄液が洗浄対象物の特定の場所に当たるたびに跳ね返りがあることを示している。△は、洗浄液が洗浄対象物の特定の場所に当たるたびに少量の水滴の顔に当たることを示している。○は、洗浄液の少量の水滴が跳ね返って顔に数回当たることを示している。◎は、顔に洗浄液が跳ね返らないことを示している。
【００７３】
凹凸があるコンクリート地面／距離０〜５０ｍｍでは、従来型では特定の場所に当たる度に跳ね返りがあった。一方、本発明型、第１タイプ、第２タイプ共に顔への跳ね返りが生じなかった。これはランスのカバー部がほぼ全ての洗浄液の跳ね返りを受け止めたということである。
【００７４】
また、凹凸があるコンクリート地面／距離５０〜１００ｍｍでは、従来型、本発明型共に特定の場所に当たる度に少量の水滴の跳ね返りがあった。さらに、凹凸があるコンクリート地面／距離１００〜２００ｍｍでは、従来型では特定の場所に当たる度に少量の水滴の跳ね返りがあったが、本発明型においては、第１タイプ、第２タイプ共に少量の数滴が顔に数回当たる程度であり、跳ね返りの大部分を防ぐことができた。
【００７５】
凹凸があるコンクリート地面／距離２００〜３００ｍｍでは、従来型、本発明型共に常に特定の場所に当たる度に顔への跳ね返りがあった。
【００７６】
壁面の目地／距離０〜５０ｍｍでは、従来型では特定の場所に当たる度に少量の水滴の跳ね返りがあった、本発明型においては、第１タイプ、第２タイプ共に、少量の数滴が顔に数回当たる程度であり、跳ね返りの大部分を防ぐことができた。
【００７７】
また、壁面の目地／距離５０〜１００ｍｍでは、従来型、本発明型ともに少量の数滴が顔に数回当たる程度であった。さらに、壁面の目地／距離１００〜２００ｍｍでは、従来型、本発明型ともに少量の数滴が顔に数回当たる程度であった。
【００７８】
さらに、壁面の目地／距離２００〜３００ｍｍでは、従来型では少量の数滴が顔に数回当たる程度であり、本発明型は第１タイプ、第２タイプ共に、特定の場所に当たる度に少量の水滴の跳ね返りがあった。
【００７９】
階段の隅／距離０〜５０ｍｍでは、従来型では常に顔への洗浄液の跳ね返りがあった。本発明型は第１タイプ、第２タイプ共に、洗浄液が特定の場所に当たる度に跳ね返りがあった。階段の隅／距離５０〜１００ｍｍでは、従来型では常に顔への洗浄液の跳ね返りがあった。本発明型は第１タイプ、第２タイプ共に、洗浄液が特定の場所に当たる度に跳ね返りがあった。
【００８０】
階段の隅／距離１００〜２００ｍｍでは、従来型、本発明型ともに、常に顔への洗浄液の跳ね返りがあった。階段の隅／距離２００〜３００ｍｍでは、従来型、本発明型共に洗浄液が特定の場所に当たる度に跳ね返りがあった。
【００８１】
この結果から、本発明に係るランスは従来型と比較して洗浄液の跳ね返りを抑制することが確認できた。特にランスと洗浄対象物間の距離を近づけた方がより洗浄液の跳ね返り抑制効果が高いことが確認することができた。なお、平面の形状が変化する場所ではランスを近づけた場合、距離が１００ｍｍ以下では跳ね返りがあることが確認された。また、距離を２００ｍｍ以上離した場合には階段の隅においては、水野跳ね返り方が壁面を上るようにして起こるため、極端に洗浄面にランスを近づけた場合でも跳ね返りが生じる結果となった。
【００８２】
＜２．変形例＞
以上、本発明の実施の形態について具体的に説明したが、本発明は上述の実施の形態に限定されるものではなく、本発明の技術的思想に基づく各種の変形が可能である。
【００８３】
例えば、高圧洗浄機１の付属部品は、上述した部品に限定されることはない。例えば、付属部品として、ランスの噴出口等を掃除するためのノズルクリーナーピンや、タンク１０内に洗浄液を注水するためのホースが含まれてもよい。
【００８４】
また、実施の形態で説明した高圧洗浄機１の構成はあくまで例示であり、高圧洗浄機は上述したものに限られず、その他の構成の高圧洗浄機にも本発明に係るランスを装着して使用する事が可能である。
【符号の説明】
【００８５】
１・・・・・・高圧洗浄機
２００・・・・ランス
２２２・・・・カバー部
２２３・・・・ヘッドカバー
２３０・・・・噴射ノズル
２４１・・・・第１板部
２４２・・・・第２板部
２５１・・・・第１突起部
２５２・・・・第２突起部
２６１・・・・第１押圧部
２６２・・・・第２押圧部
【図２】
2016107172.tif 000005
【図３】
2016107172.tif 000006
【図４】
2016107172.tif 000007
【図５】
2016107172.tif 000008
【図６】
2016107172.tif 000009
【図７】
2016107172.tif 000010
【図８】
2016107172.tif 000011
【図１】
2016107172.tif 000012
【図９】
2016107172.tif 000013
【図１０】
2016107172.tif 000014
【図１１】
2016107172.tif 000015
【図１２】
2016107172.tif 000016
【図１３】
2016107172.tif 000017
【図１４】
2016107172.tif 000018
【図１５】
2016107172.tif 000019
【図１６】
2016107172.tif 000020
【図１７】
2016107172.tif 000021
【図１８】
2016107172.tif 000022
【図１９】
2016107172.tif 000023